(57)【特許請求の範囲】
【請求項１】
ボルト部に締結されたナットの緩み止めのために、ナットに当接するようにボルト部に嵌着されている筒状のナット止めキャップをボルト部から外すためのナット止めキャップ取外し用先端工具であって、
前記ボルト部を間に挟むように前記ナットとナット止めキャップとの間に挿し込む二股状の爪部を先端側に設けた挿込部、及び、間接活線用作業具の一方の把持部に着脱される着脱部を有する脱抜部材と、前記ボルト部の端面に接離して、前記ナット止めキャップ内に挿入されるピンを先端側に設けた支持部、及び、間接活線用作業具の他方の把持部に着脱される着脱部を有する保持部材とが備えられていることを特徴とするナット止めキャップ取外し用先端工具。
【請求項２】
前記挿込部又は支持部の少なくとも一方は、内向きに屈曲していることを特徴とする請求項１に記載のナット止めキャップ取外し用先端工具。
【請求項３】
前記ピンは、ナット止めキャップの内径と同一の外径又は挿入可能なまで大きな外径とされていることを特徴とする請求項１又は２に記載のナット止めキャップ取外し用先端工具。
【請求項４】
前記ピンは、交換可能とされていることを特徴する請求項１ないし３のいずれか一項に記載のナット止めキャップ取外し用先端工具。
【請求項５】
ボルト部に締結されたナットのゆるみ止めのために、ナットに当接するようにボルト部に嵌着されている筒状のナット止めキャップをボルト部から外すためのナット止めキャップ取外し用先端工具と、支軸を中心軸として開閉自在に連結された一対の把持部とを備えた間接活線用作業具であって、
前記ナット止めキャップ取外し用先端工具が、前記ボルト部を間に挟むように前記ナットとナット止めキャップとの間に挿し込む二股状の爪部を先端側に設けた挿込部、及び、一方の把持部に着脱される着脱部を有する脱抜部材と、前記ボルト部の端面に接離して、前記ナット止めキャップ内に挿入されるピンを先端側に設けた支持部、及び、他方の把持部に着脱される着脱部を有する保持部材とが備えられていることを特徴とする間接活線用作業具。
【発明の詳細な説明】
【技術分野】
【０００１】
本発明は、ボルト部に締結されたナットが緩まないように、ボルト部に嵌着されているナット止めキャップを取り外すためのナット止めキャップ取外し用の先端工具、及び、このキャップ取外し用の先端工具を備えた間接活線用作業具に関する。
【背景技術】
【０００２】
配電線などの架空線は、図７の左側に示すように、電柱（図示せず）に取り付けられた腕金１間、正確には、腕金１に固定されたピン碍子１００間に架設される。ピン碍子１００は、括れ部を上部に有する本体部１０１の下面から軸部１０２が突出したもので、軸部１０２の上端部と本体部１０１との境界部に拡径部１０３が設けられ、あるいは図示しない鍔部が設けられている。
【０００３】
そして、軸部１０２は、腕金１の上面と下面とに形成された連通孔に挿通され、拡径部１０３が腕金１の上面に宛がわれ、軸部１０２の下部が腕金１の下面から突出する。軸部１０２の少なくとも下側部には、ボルト部１０４が形成され、このボルト部１０４にナット１０５が締結されることで、ピン碍子１００が腕金１に固定される。
【０００４】
そして、軸部１０２の下部には、ナット１０５に当接するナット止めキャップ（以下、主として「キャップ」という。）１０６が嵌着されている。キャップ１０６は、軸部１０２のボルト部１０４を外嵌する筒状部１０６ａと、この筒状部１０６ａの上端に周設された外向きの鍔部１０６ｂとを合成樹脂材によって一体成形したもので、ナット１０５が締められたボルト部１０４に押し込まれることで、鍔部１０６ｂがナット１０５の下面に当接し、ナット１０５が緩まないようにされている。
【０００５】
そして、ピン碍子１００は、古くなると、新しいピン碍子１００と交換される。このピン碍子１００の交換に際して、ラチェットなどの工具を使用することで、ナット１０５が外される。しかし、キャップ１０６がナット１０５の下面に当接してボルト部１０４に嵌着された状態で工具を使用しても、ナット１０５は容易に外すことができない。したがって、まず、キャップ１０６が外される。キャップ１０６は、間接工具を使用しても容易に外れないため、ペンチなどで引きちぎられていた。しかし、このような作業は、手間と時間がかかり、作業能率が極めて悪いといえる。
【０００６】
このため、キャップ１０６の取り外し及び取り付けを簡単に行えるようにしたキャップの着脱工具が特許文献１に記載されている。この着脱工具は、図７の右側に示すように、間接工具の先端のハンド部Ｈに着脱自在に装着されるもので、基板１１０を備えている。基板１１０は、一側縁（先端）で開口１１１し、開口１１１の奥側にピン碍子１００の軸部１０２が挿通する嵌挿溝１１２が設けられ、この嵌挿溝１１２の奥端部にキャップ１０６の筒状部１０６ａが挿通保持されかつキャップ１０６の鍔部１０６ｂよりも小径の保持部１１３が設けられている。
【０００７】
このような着脱工具によって、キャップ１０６をボルト部１０４から外すには、腕金１の下面で軸部１０２のボルト部１０４に螺合されているナット１０５とキャップ１０６の鍔部１０６ｂとの間に基板１１０の一側縁を差し込み、嵌挿溝１１２の適宜所定幅溝部にピン碍子１００の軸部１０２を挿通し、保持部１１３に位置させる。この状態で、着脱工具を強制的に下げると、キャップ１０６がボルト部１０４から外される。その後、ナット１０５をボルト部１０４から外し、軸部１０２を腕金１の連通孔から引き抜くことで、ピン碍子１００を腕金１から外すことができる。
【先行技術文献】
【特許文献】
【０００８】
【特許文献１】特許平１０−２８３８６５号公報
【発明の概要】
【発明が解決しようとする課題】
【０００９】
特許文献１に記載されたナット止めキャップの着脱工具では、基板１１０をナット１０５とキャップ１０６との間に差し込み、強制的に下げるだけであるため、キャップ１０６が地面の方に落下してしまう。落下したキャップ１０６を回収する作業が面倒であったり、落下したキャップ１０６が行方不明になったりするだけでなく、キャップ１０６が落下すること自体、好ましいといえない。
【００１０】
そこで、本発明は、ボルト部に嵌着されたナット止めキャップを容易に取り外せるだけでなく、取り外されたナット止めキャップを捕捉することができるようにしたナット止めキャップ取外し用先端工具及び間接活線用作業具を提供することを課題とする。
【課題を解決するための手段】
【００１１】
本発明に係るナット止めキャップ取外し用先端工具は、ボルト部に締結されたナットの緩み止めのために、ナットに当接するようにボルト部に嵌着されている筒状のナット止めキャップをボルト部から外すためのナット止めキャップ取外し用先端工具であって、前記ボルト部を間に挟むように前記ナットとナット止めキャップとの間に挿し込む二股状の爪部を先端側に設けた挿込部、及び、間接活線用作業具の一方の把持部に着脱される着脱部を有する脱抜部材と、前記ボルト部の端面に接離して、前記ナット止めキャップ内に挿入されるピンを先端側に設けた支持部、及び、間接活線用作業具の他方の把持部に着脱される着脱部を有する保持部材とが備えられていることを特徴としている。
【００１２】
このナット止めキャップ取外し用先端工具によれば、脱抜部材の爪部がナットとナット止めキャップとの間に挿し込まれ、ピンがボルト部の端面に当てられた状態として、爪部をピンの方へ移動させることで、ナット止めキャップがナットから離間し、ピンがナット止めキャップ内に挿入される。このナット止めキャップ外し用先端工具は、ナット止めキャップを掴んだ状態となり、ナット止めキャップを捕捉することができる。
【００１３】
また、前記本発明に係るナット止めキャップ取外し用先端工具において、前記挿込部又は支持部の少なくとも一方は、内向きに屈曲していることが好ましい。
【００１４】
このナット止めキャップ取外し用先端工具によれば、爪部を設けた挿込部とピンを設けた支持部とが「ハ」字状に拡開していても、挿込部又は支持部の少なくとも一方が内向きに屈曲されることにより、閉じた状態とされたときに、挿込部と支持部とは平行状になり、爪部とピンとがナット止めキャップを掴みやすくすることができる。なお、内向きに屈曲とは、挿込部が支持部の方に向く、又は支持部が挿込部の方に向くことをいう。
【００１５】
また、前記本発明に係るナット止めキャップ取外し用先端工具において、前記ピンは、ナット止めキャップの内径と同一の外径又は挿入可能なまで大きな外径とされていることが好ましい。
【００１６】
このナット止めキャップ取外し用先端工具によれば、ピンの外径がナット止めキャップの内径と同一の外径又は挿入可能なまで大きな外径とされていることにより、ピンがナット止めキャップ内に挿入されると、ナット止めキャップは、引き抜かれない限り、ピンから抜けないようにすることができ、したがって、爪部でナット止めキャップを押えなくても、ピンだけでナット止めキャップを捕捉することができる。
【００１７】
また、前記本発明に係るナット止めキャップ取外し用先端工具において、前記ピンは、交換可能とされていることが好ましい。
【００１８】
このナット止めキャップ取外し用先端工具によれば、ピンが交換可能とされることにより、ピンの外径を異ならせた複数種類のものをストックしておき、異なる外径のナット止めキャップに対応した外径のピンを支持部に取り付けることができる。
【００１９】
また、本発明に係る間接活線用作業具は、ボルト部に締結されたナットのゆるみ止めのために、ナットに当接するようにボルト部に嵌着されている筒状のナット止めキャップをボルト部から外すためのナット止めキャップ取外し用先端工具と、支軸を中心軸として開閉自在に連結された一対の把持部とを備えた間接活線用作業具であって、前記ナット止めキャップ取外し用先端工具が、前記ボルト部を間に挟むように前記ナットとナット止めキャップとの間に挿し込む二股状の爪部を先端側に設けた挿込部、及び、一方の把持部に着脱される着脱部を有する脱抜部材と、前記ボルト部の端面に接離して、前記ナット止めキャップ内に挿入されるピンを先端側に設けた支持部、及び、他方の把持部に着脱される着脱部を有する保持部材とが備えられていることを特徴としている。
【００２０】
この間接活線用作業具は、支軸を中心軸として開閉する一対の把持部にナット止めキャップ取外し用先端工具を備えたものとされ、ナット止めキャップ取外し用先端工具が爪部とピンとを備えていることにより、爪部をナットとナット止めキャップとの間に挿し込み、ピンがボルト部の端面に当てられた状態とし、爪部をピンの方へ移動して、ナット止めキャップを掴み、捕捉することができる。
【発明の効果】
【００２１】
本発明によれば、ナット止めキャップを掴み、捕捉することができる爪部とピンとを備えたナット止めキャップ取外し用先端工具及び間接活線用作業具が提供されることにより、ボルト部から外されたナット止めキャップが行方不明となったり落下したりすることがなくなり、ナット止めキャップをボルト部から取り外す作業性を向上させることができる。
【図面の簡単な説明】
【００２２】
【図１】本発明に係るナット止めキャップ取外し用先端工具及び間接活線用作業具の一実施形態を示す概略斜視図である。
【図２】本発明の一実施形態に係るナット止めキャップ取外し用先端工具及び間接活線用作業具によって、ボルト部に嵌着されたナット止めキャップを取り外す最初の状態を示す一部断面正面図である。
【図３】本発明の一実施形態に係るナット止めキャップ取外し用先端工具及び間接活線用作業具によって、ボルト部に嵌着されたナット止めキャップを取り外す途中の状態を示す一部断面正面図である。
【図４】本発明の一実施形態に係るナット止めキャップ取外し用先端工具及び間接活線用作業具によって、ボルト部に嵌着されたナット止めキャップを取り外す途中の状態を示す一部断面正面図である。
【図５】本発明の一実施形態に係るナット止めキャップ取外し用先端工具及び間接活線用作業具によって、ボルト部に嵌着されたナット止めキャップを取り外した状態を示す一部断面正面図である。
【図６】本発明に係るナット止めキャップ取外し用先端工具の第二の実施形態を示し、（ａ）（ｂ）それぞれ異なる状態を示す正面図である。
【図７】従来のナット止めキャップの着脱工具を示す斜視図である。
【発明を実施するための形態】
【００２３】
本発明に係るナット止めキャップ取外し用先端工具（以下、主として「先端工具」という。）及び間接活線用作業具の一実施形態について図１ないし図５を参照しながら説明する。なお、従来と同一部分は、同一符合を付して説明する。
【００２４】
この実施形態における先端工具は、間接活線用作業具の一対の把持部１２，１３に着脱自在に備えられる。換言すれば、この実施形態における間接活線用作業具は、把持部１２，１３に先端工具を着脱自在に備えたものとされている。
【００２５】
間接活線用作業用具は、並列された操作棒１４と連結棒１５の各先端に円弧形状の把持部１２，１３を固定し、各把持部１２，１３の基端部が支軸１１によって連結され、連結棒１５が押し引きされることで、把持部１２，１３の先端側が支軸１１を中心軸として開閉するようにされている。この把持部１２，１３には、各種の先端工具を着脱するためのキャッチ孔（図示せず）などが形成されている。
【００２６】
そして、この実施形態における先端工具は、一方の把持部１２に着脱される脱抜部材２０と、他方の把持部１３に着脱される保持部材３０とを備えている。前記のように、一対の把持部１２，１３の先端側が開閉することで、脱抜部材２０と保持部材３０とが各把持部１２，１３の支軸１１を回転軸として開閉する。
【００２７】
脱抜部材２０は、一方の把持部１２に重ね合わされて固定された状態と取り外した状態とに着脱される着脱部２１と、この着脱部２１の先端側に設けられた挿込部２２とを一体に形成したもので、少なくとも挿込部２２は薄板状とされる。また、脱抜部材２０は、挿込部２２と着脱部２１との境界部又は境界部付近を折り目として、挿込部２２の先端側が保持部材３０側に、すなわち内向きにわずかに折り曲げられている。
【００２８】
そして、挿込部２２の先端側は、ボルト部１０４を挟む二股状の爪部２２ａとされている。この爪部２２ａの先端は、ナイフエッジ形状に形成されている。また、２本の爪部２２ａの間隔は、先端側において拡げられ、ボルト部１０４が２本の爪部２２ａの間に挟まれやすくされている。
【００２９】
他方、保持部材３０は、他方の把持部１３に重ね合わされて固定された状態と取り外した状態とに着脱される着脱部３１と、この着脱部３１の先端側に設けられた支持部３２とを一体に形成したもので、支持部３２の先端部には、円柱状又は円筒状のピン３３が前記挿込部２２の方に向けて突設されている。すなわち、ピン３３は、差込部の爪部２２ａの間にくる位置に突設される。
【００３０】
このピン３３は、ナット止めキャップ（以下、「キャップ」という。）１０６の筒状部１０６ａ内に挿入されるものであるため、キャップ１０６の筒状部１０６ａ内に挿入可能なまでの大きさの外径で、キャップ１０６の筒状部１０６ａよりも長くされている。また、キャップ１０６は、ボルト部１０４に嵌着されるため、多種類あるボルト部１０４の径ごとに複数種類のサイズのものがストックされている。したがって、ピン３３もキャップ１０６のサイズに対応して複数種類ストックされている。
【００３１】
このようなピン３３は、サイズごとに各保持部材３０に固定してもよいし、１本の保持部材３０にサイズの異なるピン３３を交換可能としてもよい。交換可能とする場合は、例えば、保持部材３０の支持部３２に雌ネジを形成し、ピン３３に雄ネジを形成し、ピン３３が支持部３２に確実に固定されるようにする。
【００３２】
この保持部材３０は、前記脱抜部材２０がわずかに折り曲げられていることにより、基本的に平坦状とされているが、着脱部３１と支持部３２との境界部又は境界部付近を折り目として、支持部３２の先端側が脱抜部材２０側に、すなわち内向きにわずかに折り曲げられてもよく、逆に、保持部材３０を折り曲げ、脱抜部材２０を平坦状にしてもよい。
【００３３】
この実施形態における先端工具及びこの先端工具を備えた間接活線用作業具は、以上のように構成され、次に、ボルト部１０４に嵌着されたキャップ１０６を取り外す方法について説明する。キャップ１０６は、腕金１に固定されたピン碍子１００ボルト部１０４の中間部に締結されたナット１０５に当接し、ボルト部１０４の中間部に嵌着され、ボルト部１０４の下部が露出している。
【００３４】
そして、先端工具は、図１に示すように、脱抜部材２０と保持部材３０とがハ字状に拡開した状態で、まず、図２に示すように、挿込部２２の爪部２２ａをキャップ１０６の鍔部１０６とナット１０５との間に挿し込む。挿込部２２の爪部２２ａは、先端がナイフエッジ形状とされていることから、キャップ１０６とナット１０５とが密着していても、爪部２２ａの先端がキャップ１０６の鍔部１０６ｂとナット１０５との間に挿し込まれ、一対の爪部２２ａは、ボルト部１０４を挟み、かつ、キャップ１０６の鍔部１０６ｂとナット１０５との間に挟まれる。このとき、ピン３３は、ボルト部１０４の端面から離間している。
【００３５】
次に、連結棒１５を操作して、一対の把持部１２，１３、すなわち脱抜部材２０と保持部材３０とが半分程度、閉じた状態とする。すると、ピン３３が図３に示すように、ボルト部１０４の端面に当たる。このとき、キャップ１０６は、ナット１０５側に位置している。
【００３６】
次に、連結棒１５を操作して、一対の把持部１２，１３、すなわち脱抜部材２０と保持部材３０とが完全に閉じた状態とする。すると、保持部材３０はピン３３がボルト部１０４の端面に当たって動けないことから、脱抜部材２０は図４に示すように、押し下げられる。すると、脱抜部材２０の挿込部２２がわずかに折り曲げられていることから、挿込部２２と支持部３２とが平行ないしほぼ平行になり、挿込部２２に押されたキャップ１０６が保持部材３０側に移動する。すると、保持部材３０のピン３３がキャップ１０６の筒状部１０６ａ内に挿入され、脱抜部材２０と保持部材３０とがキャップ１０６を掴む状態となる。
【００３７】
次に、先端工具全体をボルト部１０４から離間することで、キャップ１０６は図５に示すように、ボルト部１０４から完全に外される。このとき、キャップ１０６は、脱抜部材２０と保持部材３０とに捕捉された状態にあるため、地面の方に落下することがなく、したがって、行方不明となることもなく、回収することができる。
【００３８】
なお、本発明は、前記実施の形態に限定することなく、種々変更することができる。例えば、前記実施の形態では、ピン３３の外径がナット１０５止めキャップ１０６の筒状部１０６ａ内に挿入可能なまで大きな外径とされていることにより、ピン３３がキャップ１０６内に挿入されると、キャップ１０６は、支持部３２と反対方向に引き抜かれない限り、ピン３３から抜かれない。
【００３９】
したがって、保持部材３０のピン３３がキャップ１０６の筒状部１０６ａ内に挿入された後は、脱抜部材２０と保持部材３０とは拡開しても、保持部材３０のピン３３がキャップ１０６の筒状部１０６ａよりも長く形成され、保持部材３０のピン３３がキャップ１０６を捕捉した状態を維持するため、先端工具全体をボルト部１０４から離間した後は、脱抜部材２０と保持部材３０とは拡開してもよい。
【００４０】
換言すれば、脱抜部材２０と保持部材３０とがキャップ１０６を挟む状態を維持する場合においては、ピン３３の外径をキャップ１０６の内径よりも小さくしてもよい。そして、内径の小さなキャップ１０６だけ使用するときは、ピン３３は交換不可能に支持部３２に固定してもよい。
【００４１】
また、前記実施の形態では、挿込部２２又は支持部３２の少なくとも一方が内向きに屈曲していることで、脱抜部材２０の挿込部２２と保持部材３０の支持部３２とは、閉じられた状態において平行状となり、キャップ１０６を的確に保持することができるようにされているが、前記のように、ピン３３の外径がナット１０５止めキャップ１０６の筒状部１０６ａ内に挿入可能なまで大きな外径とされ、キャップ１０６内に挿入されたピン３３によってキャップ１０６が捕捉される場合は、挿込部２２又は支持部３２は、屈曲させなくてもよい。
【００４２】
また、挿込部２２及び支持部３２を長くすることで、挿込部２２及び支持部３２が開閉するときに描く先端の円弧の軌跡が直線に近くなり、このことは、閉じられた挿込部２２と支持部３２とが平行状になることから、挿込部２２又は支持部３２は、屈曲させなくてもよい。
【００４３】
さらに、挿込部２２と支持部３２は、図６（ａ）（ｂ）に示すように、それぞれ着脱部２１，３１に固定される固定部２２ａ，３２ａと、この固定部２２ａ，３２ａに重ね合わされてスライドするスライド部２２ｂ，３２ｂとを備えたものとしてもよい。スライド部２２ｂ，３２ｂが図６（ａ）に示すように退入した状態から、図６（ｂ）に示すように突出した状態とに変位することで、ピン３３と爪部２２ａとの間隔を大きくすることができる。
【００４４】
さらに、本願発明は、ピン碍子１００の軸部１０２に形成されたボルト部１０４に嵌着されたキャップ１０６を取り外す場合に限定されず、各種のボルト部１０４に嵌着されたキャップ１０６を取り外すために使用することができることは、いうまでもない。
【符号の説明】
【００４５】
１１………支軸
１２………把持部
１３………把持部
２０………脱抜部材
２１………着脱部
２２………挿込部
２２ａ……爪部
３０………保持部材
３１………着脱部
３２………支持部
３３………ピン
１０４……ボルト部
１０５……ナット
１０６……ナット止めキャップ（キャップ）
【図１】
0005235979.tif 000002
【図２】
0005235979.tif 000003
【図３】
0005235979.tif 000004
【図４】
0005235979.tif 000005
【図５】
0005235979.tif 000006
【図６】
0005235979.tif 000007
【図７】
0005235979.tif 000008